(57)【要約】【課題】完全に塵埃を廃棄できる集塵容器を提供することを目的とする。【解決手段】集塵室１３は、集塵室上３５と集塵室下３６に結合分離自在に形成され、そのため、図１１のように集塵室下３６の係止部Ｂ４０を折り曲げるようにして、集塵室上３５の係止部Ａ３９から外し、集塵室下３６を分離させて、集塵容器本体９から取り外すことにより、突き刺さった毛髪ａなどを抜き取ったり、塵埃ｂは集塵室下３６を取り去った集塵容器３を振ったり、ブラシなどを用いて集塵容器３内部を清掃して、完全に塵埃を廃棄することができる。【選択図】図１１
2010094253.tif 000002
【特許請求の範囲】
【請求項１】
塵埃を捕集する集塵室と、前記集塵室に設けられた塵埃排出用の開口部と、前記開口部を開閉自在に覆う蓋体と、前記集塵室内で捕集した塵埃を押し出す押し出し板と、前記押し出し板を操作する操作部とを備え、前記集塵室は係止部Ａ、Ｂによって集塵室上と集塵室下とに分離結合自在に形成した集塵容器。
【請求項２】
集塵室内壁に窓部を形成すると共に、前記窓部の端部より上部を集塵室上に、端部より下部を集塵室下に分離結合自在に形成した請求項１記載の集塵容器。
【請求項３】
係止部ＡもしくはＢは折れ曲がり自在なバネ弾性体に穴明け構成とし、係止部ＢもしくはＡはその穴に勘合自在に爪状に形成した請求項１または２に記載の集塵容器。
【請求項４】
集塵室下はその底部に突起形状を設け、前記蓋体の閉時に突起形状と蓋体とが当接して、前記係止部Ａ、Ｂが勘合状態になるように形成した請求項１〜３のいずれか１項に記載の集塵容器。
【請求項５】
集塵室下の係止部ＡもしくはＢの両端近傍に、これら係止部高さより以上の高さにリブを形成した請求項１〜４のいずれか１項に記載の集塵容器。
【請求項６】
請求項１〜５のいずれか１項に記載の集塵容器を備えた電気掃除機。
【発明の詳細な説明】
【技術分野】
【０００１】
本発明は電気掃除機本体に装着される集塵容器およびこの集塵容器を有する電気掃除機に関するものである。
【背景技術】
【０００２】
従来、この種の電気掃除機としては、掃除機本体に着脱自在に装着されると共に塵埃を捕集する集塵容器を備え、その集塵容器に開閉自在の蓋を設け、その蓋を開けて集塵容器内に蓄積した塵埃を廃棄するようにしたものが有る（例えば、特許文献１参照）。
【０００３】
また、集塵容器内のごみを、手を汚すことなく、簡単に廃棄できる、使い勝手のよい集塵容器およびこれを具備した電気掃除機もある（例えば、特許文献２参照）。
【特許文献１】特開２００４−１２１７２２号公報
【特許文献２】特開２００７−０６１４６７号公報
【発明の開示】
【発明が解決しようとする課題】
【０００４】
しかしながら、前記従来の構成では、集塵容器から塵埃の殆どは廃棄できるものの、集塵室内の塵埃を蓋体を開いて、押し出し板で塵埃を排出するため、廃棄時集塵室の壁に密着したり、塵埃の中でも、集塵室の窓部に突き刺さった毛髪などや、集塵室の窓部と集塵容器との隙間に入り込んだ塵埃は、押し出し板では、押し出しができないので、完全に集塵容器から塵埃を廃棄できないという課題を有していた。
【０００５】
本発明は、前記従来の課題を解決するもので、完全に集塵容器から塵埃を廃棄できる集塵容器を提供することを目的とする。
【課題を解決するための手段】
【０００６】
前記従来の課題を解決するために、本発明の集塵容器は、塵埃を捕集する集塵室と、前記集塵室に設けられた塵埃排出用の開口部と、前記開口部を開閉自在に覆う蓋体と、前記集塵室内で捕集した塵埃を押し出す押し出し板と、前記押し出し板を操作する操作部とを備え、前記集塵室は係止部Ａ、Ｂによって集塵室上と集塵室下とに分離結合自在に形成したものである。
【０００７】
これによって、集塵室は係止部Ａ、Ｂによって集塵室上と集塵室下とに分離結合自在に形成したことにより、任意に集塵室下を分離して、集塵室の窓部に突き刺さった毛髪などを抜き取ったり、集塵室内の窓部と集塵容器との隙間に入り込んだ塵埃を集塵容器を振ったり、ブラシなどを用いて集塵容器内部を清掃して、完全に塵埃を廃棄できることとなる。
【０００８】
また、本発明の集塵容器は、集塵室下はその底部に突起形状を設け、前記蓋体の閉時に突起形状と蓋体とが当接して、前記係止部Ａ、Ｂが勘合状態になるように形成したので、蓋体を閉めることにより無理なく前記係止部Ａ、Ｂが勘合状態になり、簡便に集塵室として結合できるようにしたものである。
【０００９】
また、本発明の集塵容器は、集塵室下の係止部ＡもしくはＢの両端近傍に、これら係止部高さより以上の高さにリブを形成した。
【００１０】
これによって、係止部が集塵室下の落下などで変形・破壊する前に、リブが先に床などに当り、係止部が変形・破壊などから保護されることとなる。
【発明の効果】
【００１１】
本発明によれば、完全に塵埃を廃棄することができる集塵容器およびこれを具備した電気掃除機を提供することができる。
【発明を実施するための最良の形態】
【００１２】
第１の発明は集塵容器において、塵埃を捕集する集塵室と、前記集塵室に設けられた塵埃排出用の開口部と、前記開口部を開閉自在に覆う蓋体と、前記集塵室内で捕集した塵埃を押し出す押し出し板と、前記押し出し板を操作する操作部とを備え、前記集塵室は係止部Ａ、Ｂによって集塵室上と集塵室下とに分離結合自在に形成したことにより、任意に集塵室下を分離して、集塵室の窓部に突き刺さった毛髪などを抜き取ったり、集塵室内の窓部と集塵容器との隙間に入り込んだ塵埃を集塵容器を振ったり、ブラシなどを用いて集塵容器内部を清掃して、完全に塵埃を廃棄することができる。
【００１３】
第２の発明は、特に、第１の発明の集塵容器を、集塵室内壁に窓部を形成すると共に、前記窓部の端部より上部を集塵室上に、端部より下部を集塵室下に分離結合自在に形成することにより、任意に集塵室下を分離して、集塵室の窓部に突き刺さった毛髪などを抜き取ったり、集塵室内の窓部と集塵容器との隙間に入り込んだ塵埃を集塵容器を振ったり、ブラシなどを用いて集塵容器内部を清掃するだけでなく、単独に集塵室下の窓部を洗浄して、完全に塵埃を廃棄することができる。
【００１４】
第３の発明は、特に、第１または第２の発明の集塵容器の係止部ＡもしくはＢは折れ曲がり自在なバネ弾性体に穴明け構成とし、係止部ＢもしくはＡはその穴に勘合自在に爪状に形成することにより、分離結合が容易に自在となり、より簡便な構成で分離結合することができる。
【００１５】
第４の発明は、特に、第１〜３のいずれか１つの発明の集塵容器の集塵室下はその底部に突起形状を設け、前記蓋体の閉時に突起形状と蓋体とが当接して、前記係止部Ａ、Ｂが勘合状態になるように形成することにより、蓋体を閉めることにより無理なく前記係止部Ａ、Ｂが勘合状態になり、簡便に集塵室として結合できるようになり、結合操作を確実且つ簡便にすることができる。
【００１６】
第５の発明は、特に、第１〜４のいずれか１つの発明の集塵容器の集塵室下の係止部ＡもしくはＢの両端近傍に、これら係止部高さより以上の高さにリブを形成したことにより、集塵室下の落下などで係止部が変形・破壊する前に、リブが先に床などに当り、係止部が変形・破壊などから保護されることとなる。
【００１７】
第６の発明は、特に電気掃除機に、請求項１〜５のいずれか１項に記載の集塵容器を備えたことにより、上記の種種の作用と効果を有する掃除機を得ることが出来る。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における集塵容器を備えた電気掃除機の全体斜視図、図２は同掃除機本体の中央断面図を示す。
【００２０】
図１、図２において、掃除機本体１は、吸引風を発生させる電動送風機２と、電動送風機２の吸引風の上流側に着脱自在で塵埃を捕集する集塵容器３を備え、集塵容器３は集塵容器収納部４に収納される。さらに集塵容器３の上流側には、塵埃が流入する本体吸気口５を備え、本体吸気口５にはホース６の一端が接続され、他端には延長管７を介して床用吸込み口８を接続している。
【００２１】
次に図３〜図１２を用いて集塵容器３の詳細について説明する。
【００２２】
集塵容器３は、集塵容器本体９と、集塵容器３の外郭の一部を形成すると共に持ち運び用の把手部１０を形成するカバー体１１と、集塵容器本体９の後方開口部に着脱自在に装着されるフィルターユニット１２から構成されている。集塵容器本体９は、塵埃を捕集するための集塵室１３を備え、集塵室１３は塵埃を排出するための開口部１４を備えている。さらに、集塵容器本体９には開口部１４を開閉自在に覆う蓋体１５が軸支されており、蓋体１５はバネ体１６により閉方向に付勢されている。さらに、集塵容器本体９は蓋体１５を閉状態に保持する尾錠１７と、蓋体１５を開状態にする操作部１８を備えており、操作部１８は操作部バネ１９により上方向に付勢されている。また、操作部１８には、尾錠１７の回動を操作する尾錠操作部２０を一体に形成している。
【００２３】
一方、集塵室１３は側壁を形成する集塵部２１と天面を形成する押し出し板２２とで構成されている。集塵部２１は側壁全てに吸気通路となる窓部２３を、窓部２３には塵埃を捕集するメッシュ状のフィルター２４を一体に形成し、側壁は開口部１４が広くなるように傾斜して形成している。
【００２４】
押し出し板２２は、外周に集塵部２１内壁に対し略平行、且つ集塵部２１内壁に隣接した外周リブ２５を形成し、外周リブ２５の先端部を凹凸状に形成すると共に、凹部２６を窓部２３と重なる位置に略台形状に形成している。また、集塵部２１に形成した窓部２３は、その上端部が外周リブ２５と重なるように形成している。
【００２５】
押し出し板２２に形成した押し出し板連結部２７と、操作部１９に形成した操作部連結部２８は、約５ｍｍのストロークがフリーな状態で連結しており、押し出し板２２と操作部１９は連動して動作する。また、押し出し板２２は、材質がＳＵＳでメッシュ状のメッシュフィルター２９を備え、塵埃を捕集する。さらに、天面外周の集塵部２１との間の位置にごみ漏れを防止するごみタイトパッキン３０を有し、集塵容器本体９の負圧部内面３１との間の位置に空気漏れを防止するエアータイトパッキン３２を備えている。
【００２６】
また、操作部１８と連動し上下に摺動可能で、操作部１８の下部空間ならびに摺動後の上部空間を遮蔽する遮蔽板３３を備え、さらに遮蔽板３３の下部には遮蔽板３３の摺動位置を規制する規制体３４を備えている。
【００２７】
他方、集塵室１３は、集塵室上３５と集塵室下３６に結合分離自在に形成され、集塵室上３５には係止部Ａ３９、集塵室下３６には係止部Ｂ４０、が形成されている。ここでは、係止部Ａ３９は爪状に、係止部Ｂ４０は折れ曲がり自在なバネ弾性体に穴明け構成としている。そして、係止部Ｂ４０の両端近傍には、この係止部Ｂ４０高さより以上の高さに突起形状３７を形成している。
【００２８】
集塵容器３の集塵室下３６はその底部にリブ３８を設け、前記蓋体１５の閉時にリブ３８と蓋体１５とが当接して、前記係止部Ａ３９、係止部Ｂ４０が勘合状態になるように形成しており、蓋体を閉めることにより無理なく前記係止部Ａ３９、係止部Ｂ４０が勘合状態になり、簡便に集塵室１３として結合できるように形状を調整している。
【００２９】
以上のように構成された電気掃除機について、以下その動作、作用を説明する。
【００３０】
掃除機本体１の運転を開始すると、電動送風機２が運転して吸引力が発生し、塵埃を含んだ空気が、床用吸込み口８から吸い込まれ、延長管７およびホース６、本体吸気口５を通り、集塵室１３に入る。集塵室１３ではフィルター２４、ならびにメッシュフィルター２９により塵埃と空気が分離され、塵埃は集塵室１３内で捕集され堆積していく。
【００３１】
また、フィルター２４ならびにメッシュフィルター２９を通過した空気中に含まれる微細塵は、フィルターユニット１２により捕集される。
【００３２】
この時、集塵室１３の側壁全てには、フィルター２４を一体に形成した窓部２３を、上端が押し出し板２２の外周リブ２５と重なるように設けているため、フィルターの面積が広く、フィルターの目詰まりによる吸引力の低下を抑制することができ、多くの塵埃を捕集することができる。さらに、押し出し板２２にもメッシュフィルター２９を設けているので、フィルターの総面積をより広くでき、フィルターの目詰まりによる吸引力の低下をさらに抑制することができ、使い勝手を向上できる。
【００３３】
次に、捕集した塵埃を排出する際には、操作部１８を下方向に押すと、尾錠操作部２０を介して尾錠１７が開方向に回動して蓋体１５の係止を解除し、蓋体１５がバネ体１６の付勢力により開く。この時、塵埃が集塵室１３内にぎっしり詰まった状態では、塵埃は重力のみでは下方向に落ちず、集塵室１３内に溜まった状態のままである。
【００３４】
さらに操作部１８を下方向に押すと、操作部１８に連動して押し出し板２２も下方向に動作し、塵埃を押し出して開口部１４より排出できるため、集塵容器３内の塵埃を、手を汚すことなく、簡単に廃棄できる。この時、蓋体１５を開く操作部１８は押し出し板２２と連動しているため、蓋体１５を開く操作と、押し出し板２２の塵埃を押し出す操作が分かれていることを意識することなく、一連の操作で簡単に塵埃を廃棄することができる。
【００３５】
図７において、集塵室１３の窓部２３のメッシュ状のフィルター２４に突き刺さった毛髪ａなどや、集塵室１３の窓部２３と集塵容器本体９との隙間に入り込んだ塵埃ｂは、上記操作だけでは、廃棄できない。本実施の形態においては、集塵室１３は、集塵室上３５と集塵室下３６に結合分離自在に形成されており、その分離の手順を図１１（ａ）〜（ｃ）に示す。図に示すように結合した状態（ａ）において、まず、集塵室下３６の係止部Ｂ４０を折り曲げるようにして（ｂ）、集塵室上３５の係止部Ａ３９から外し、集塵室下３６を分離させて（ｃ）、集塵容器本体９から取り外すことにより、突き刺さった毛髪ａなどを抜き取ったり、塵埃ｂは集塵室下３６を取り去った集塵容器３を振ったり、ブラシなどを用いて集塵容器３内部を清掃して、完全に塵埃を廃棄することができる。
【００３６】
また、本実施の形態では、集塵室１３の窓部２３は、集塵室下３６に形成されているので、上記の分離で、側面のメッシュ状のフィルター２４に突き刺さった毛髪ａなどは集塵室下３６を洗浄などして全部廃棄することが出来る。
【００３７】
一方、本実施の形態の集塵室上３５には係止部Ａ３９、集塵室下３６には係止部Ｂ４０、が形成されている。ここでは、係止部Ａ３９は爪状に、係止部Ｂ４０は折れ曲がり自在なバネ弾性体に穴明け構成としている。しかし、構成作成上の都合で、係止部Ａ３９と係止部Ｂ４０とを逆に形成することも出来る。集塵室上３５と集塵室下３６のどちらに係止部Ａ３９、係止部Ｂ４０を形成しても分離結合は自在に出来る。
【００３８】
他方、本実施の形態では、集塵容器３の集塵室下３６はその底部に突起形状３７を設け、前記蓋体１５の閉時に突起形状３７と蓋体１５とが当接して、前記係止部Ａ３９、係止部Ｂ４０が勘合状態になるように形成しており、蓋体を閉めることにより無理なく前記係止部Ａ３９、係止部Ｂ４０が勘合状態になり、簡便に集塵室１３として結合でき、結合操作を確実且つ簡便にすることができる。
【００３９】
また、本実施の形態では、係止部Ｂ４０の両端近傍には、この係止部Ｂ４０高さより以上の高さにリブ３８を形成しているので、集塵室下３６の落下などで係止部Ｂ４０が変形・破壊する前に、リブ３８が先に床などに当り、係止部Ｂ４０の変形・破壊などから保護することができる。
【００４０】
そしてまた、以上のような、集塵容器３を掃除機本体１に備えることにより、集塵容器３の全ての作用・効果を得る掃除機を提供できる。
【産業上の利用可能性】
【００４１】
以上のように、本発明にかかる集塵容器は、塵埃を捕集する集塵室は、係止部Ａ３９、Ｂによって集塵室上と集塵室下とに分離結合自在に形成したことにより、任意に集塵室下を分離して、集塵室の窓部に突き刺さった毛髪などを抜き取ったり、集塵室内の窓部と集塵容器との隙間に入り込んだ塵埃を集塵容器を振ったり、ブラシなどを用いて集塵容器内部を清掃して、完全に塵埃を廃棄することができるので、着脱自在の集塵容器を有する家庭用、業務用電気掃除機に特に有用である。
【図面の簡単な説明】
【００４２】
【図１】本発明の実施の形態における掃除機の斜視図
【図２】同掃除機の中央断面図
【図３】本発明の実施の形態の集塵容器の全体の斜視図
【図４】同集塵容器の全体の蓋体を開いた状態の斜視図
【図５】同集塵容器の中央断面図
【図６】同集塵容器の要部部分斜視図
【図７】同集塵容器の集塵室の要部部分斜視図
【図８】同集塵室の要部中央断面図
【図９】同集塵室の要部断面図
【図１０】同集塵室の正面図
【図１１】（ａ）〜（ｃ）同集塵室の集塵室上と集塵室下に分離する手順を示す側面図
【図１２】同集塵室の集塵室上と集塵室下に分離した状態の斜視図
【符号の説明】
【００４３】
１３  集塵室
１４  開口部
１５  蓋体
２２  押し出し板
２３  窓部
３５  集塵室上
３６  集塵室下
３７  突起形状
３８  リブ
３９  係止部Ａ
４０  係止部Ｂ
【図１】
2010094253.tif 000003
【図２】
2010094253.tif 000004
【図３】
2010094253.tif 000005
【図４】
2010094253.tif 000006
【図５】
2010094253.tif 000007
【図６】
2010094253.tif 000008
【図７】
2010094253.tif 000009
【図８】
2010094253.tif 000010
【図９】
2010094253.tif 000011
【図１０】
2010094253.tif 000012
【図１１】
2010094253.tif 000013
【図１２】
2010094253.tif 000014